(57)【要約】【課題】  ユーザーの移動端末から変換サーバが正常に動作しているか確認することができる変換サーバを提供すること。【解決手段】  この変換サーバ２０は、移動端末から送信されるメッセージを受信する第１メッセージングシステムインタフェイス部２０１と、当該受信したメッセージを第２メッセージングシステムで取り扱うことのできる形式に変換する変換処理部２０５と、当該変換が正常に行われているか否かを判断する制御部２０３と、当該判断の結果に基づいて移動端末に通知するための報告メールを作成する試験メッセージ作成部２０６と、を備える。【選択図】  図４
2005269264.tif 000002
【特許請求の範囲】
【請求項１】
配下の第１通信端末にメッセージ送受信サービスを提供する第１メッセージ提供システムと、配下の第２通信端末にメッセージ送受信サービスを提供する第２メッセージ提供システムとの間に配置される変換サーバであって、
前記第１通信端末から送信されるメッセージを受信する第１受信手段と、
当該受信したメッセージを前記第２メッセージ提供システムで取り扱うことのできる形式に変換する変換処理手段と、
当該変換が正常に行われているか否かを判断する制御手段と、
当該判断の結果に基づいて前記第１通信端末に通知するための報告メールを作成する試験メッセージ作成手段と、
当該作成した報告メールを前記第１通信端末に送信する第１送信手段と、
を備える変換サーバ。
【請求項２】
前記第１受信手段が受信したメッセージが、試験対象か否かを判断する試験移動機管理手段を備え、
当該判断の結果が試験対象である旨のものである場合に、前記制御手段は変換の正常性の判断をし、前記試験メッセージ作成手段は前記報告メールを作成する、請求項１に記載の変換サーバ。
【請求項３】
前記試験移動機管理手段は、前記第１受信手段が受信したメッセージの送信元及び送信先の少なくとも一方が、試験対象の送信元又は試験対象の送信先として登録されている場合に、該メッセージが試験対象であると判断する、請求項２に記載の変換サーバ。
【請求項４】
前記試験移動機管理手段は、前記第１通信端末から送信される指示情報に基づいて、前記試験対象の送信元及び前記試験対象の送信先の登録及び解除を行う、請求項３に記載の変換サーバ。
【請求項５】
配下の第１通信端末にメッセージ送受信サービスを提供する第１メッセージ提供システムと、配下の第２通信端末にメッセージ送受信サービスを提供する第２メッセージ提供システムとの間に配置される変換サーバの正常性を試験する試験方法であって、
前記第１通信端末から送信されるメッセージを受信する受信ステップと、
前記変換サーバ内の変換処理手段が、当該受信したメッセージを前記第２メッセージ提供システムで取り扱うことのできる形式に変換する変換ステップと、
当該変換が正常に行われているか否かを判断する判断ステップと、
当該判断の結果に基づいて前記第１通信端末に通知するための報告メールを作成するメッセージ作成ステップと、
当該作成した報告メールを前記第１通信端末に送信する送信ステップと、
を含む試験方法。
【請求項６】
前記判断ステップに先立って、前記第１受信手段が受信したメッセージが試験対象か否かを判断する対象判断ステップを含み、
当該判断の結果が試験対象である旨のものである場合に、前記判断ステップ及び前記メッセージ作成ステップの処理を実行する、請求項５に記載の試験方法。
【発明の詳細な説明】
【技術分野】
【０００１】
本発明は、配下の第１通信端末にメッセージ送受信サービスを提供する第１メッセージ提供システムと、配下の第２通信端末にメッセージ送受信サービスを提供する第２メッセージ提供システムとの間に配置される変換サーバ、その変換サーバを含む通信システム、及びその試験方法に関する。
【背景技術】
【０００２】
異なるメッセージングシステムにおいて、それぞれのメッセージングシステム配下の移動端末が利用可能なファイル形式や表示可能なメールの文字コードが異なる場合に、それぞれのメッセージングシステムの間に変換サーバが設置される。この変換サーバは、メールの送信先に応じてファイル形式や文字コードを変換する機能を有する。異なるメッセージングシステムを跨ってメールの送受信が行われる場合には、この変換サーバが正常に動作し、かつ移動端末から変換サーバまでの間においてメールの送受信が可能である必要がある。そこで、移動端末から変換サーバまでの間においてメールの送受信が可能であるか否かを確認する方法として、宛先となる移動端末等へパケット信号を送信し、このパケット信号を受信した移動端末から送信元の移動端末へパケット信号を返送するループバック試験方法が知られている。
【０００３】
ループバック試験方法の代表的な試験方法として、ｐｉｎｇを用いたループバック試験がある。ｐｉｎｇは、ＩＰの上位プロトコルの一種であるＩＣＭＰを用いて、相手先ホストコンピュータに対して返答要求を送信するプログラムである。このｐｉｎｇを宛先となる処理装置に送信し、信号が返信されてくることによりループバック試験を行い、経路の接続を確認する方法が知られている（例えば下記非特許文献1参照）。
【０００４】
ｐｉｎｇによるループバック試験の他にも、ＩPルーティング装置を使用した通信網において、障害発生箇所を特定すること及びネットワークの状態把握をすること目的として、保守用端末（ＯＡＭ）から、Ｑ＆Ｍパケットを各ノードに送信し、基地局等の各ノードのパケット処理部は、Ｑ＆Ｍパケットを識別し、保守用端末への返信と時間を挿入し、保守用端末へＱ＆Ｍパケットを送信することによって、遅延測定、正常性を確認する技術が提唱されている（例えば、特許文献1参照）。さらに、パケット交換機内に個別の加入者回線についてパケットを返信する設定を行い、加入者回路からのパケットのコピーを折り返すことにより、加入者回路対応のパケットデータ通過経路の正常性を検装することが提案されている（例えば、特許文献2参照）。
【特許文献１】特開２００３−１０１５８１号公報
【特許文献２】特開平７−１６２４５６号公報
【非特許文献１】日経ＢＰ出版局「情報・通信新語辞典」日経ＢＰ社、２００１年４月１０日、Ｐ．５２８
【発明の開示】
【発明が解決しようとする課題】
【０００５】
しかし、ｐｉｎｇや上記各文献記載の技術は、装置相互間の接続を確認し、物理的に通信が可能であるかを判定するものであって、パケットを処理する装置が正常に動作しているか否かを確認できるものではなかった。すなわち、メッセージングシステム、変換サーバ、他のメッセージングシステムにおける各サーバ等までの接続を確認することはできるが、各サーバの処理が正常であるか否かを確認することはできなかった。
【０００６】
そこで本発明では、ユーザーが自ら、自己の端末から変換サーバまで接続が確立されているか及び、ユーザーの端末から変換サーバが正常に動作しているか確認することができる、メールを用いたループバック試験を行う機能を有する変換サーバ、通信システム、及び試験方法を提供することを目的とする。
【課題を解決するための手段】
【０００７】
上述の課題を解決するために本発明者らはより詳細に検討を行った。引き続いてその検討内容について説明する。自己の移動端末が属するメールサーバが正常に作動していることを確認するために、移動端末から自己の移動端末宛にメールを送信し、送信したメールを受信することにより、自己の移動端末が属するメールサーバが正常に動作していることを確認することが可能である。
【０００８】
しかし、この手段によっては、自己のメールサーバから外部への接続が正常であるか、メッセージングシステム間に存在する変換サーバと自己のメールサーバと外部のインターネット網の間に変換処理装置が含まれる場合などに、そのような処理装置が正常に動作しているか確認することができなかった。
【０００９】
そこで、自己のメールサーバから外部への接続が正常であるか、変換サーバが正常に動作しているか確認を確認するためには、送信先に向けて実際にメールを送信し、相手方にメールが送信されることを確認する必要がある。
【００１０】
しかし、この方法によったのでは試験をするために、メールの送信先の相手方が常に必要になり、メールの宛先のメッセージシステムに属する端末のメールアドレスを有しない限り、エンドユーザーが自ら試験を行うことは困難であった。さらに、この方法による試験では、試験の結果送信先にメールが送信されなかったとしても、その原因として、自己のメールサーバに不具合があるのか、送信先のサーバに不具合があるのか区別することができず、故障箇所を切り分けることができなかった。
【００１１】
特に、メールの送信先のメッセージングシステムが外国に存しており、当該国においてのみメールの受信が可能である場合に、前述のようにメールを送信先の相手方に送信することによって、自己のメールサーバから外部への接続が正常であるか、変換サーバが正常に動作しているかを確認するには、送信先の当該国においてメールアドレスをもった移動端末と、メールの受信を確認するユーザーが必要となる。このため、ユーザーが相手方にメールを送信することによって自己のメールサーバから外部への接続が正常であるか、変換サーバが正常に動作しているか確認することは極めて困難である。
【００１２】
これに加えて、前述のようにメールを相手方に送信することにより、あるいは、自己へ返送し、そのメールを自己又は相手方が受信したことによっては、メールを処理できていることは確認できても、遅延の発生など処理装置が正常に作動しているということまで同時に確認できなかった。本発明はこれらの知見に基づいてなされたものである。
【００１３】
本発明の変換サーバは、配下の第１通信端末にメッセージ送受信サービスを提供する第１メッセージ提供システムと、配下の第２通信端末にメッセージ送受信サービスを提供する第２メッセージ提供システムとの間に配置され、（１）第１通信端末から送信されるメッセージを受信する第１受信手段と、（２）当該受信したメッセージを第２メッセージ提供システムで取り扱うことのできる形式に変換する変換処理手段と、（３）当該変換が正常に行われているか否かを判断する制御手段と、（４）当該判断の結果に基づいて第１通信端末に通知するための報告メールを作成する試験メッセージ作成手段と、（５）当該作成した報告メールを第１通信端末に送信する第１送信手段と、を備える。
【００１４】
本発明の試験方法は、配下の第１通信端末にメッセージ送受信サービスを提供する第１メッセージ提供システムと、配下の第２通信端末にメッセージ送受信サービスを提供する第２メッセージ提供システムとの間に配置される変換サーバの正常性を試験するものであって、（６）第１通信端末から送信されるメッセージを受信する受信ステップと、（７）変換サーバ内の変換処理手段が、当該受信したメッセージを第２メッセージ提供システムで取り扱うことのできる形式に変換する変換ステップと、（８）当該変換が正常に行われているか否かを判断する判断ステップと、（９）当該判断の結果に基づいて第１通信端末に通知するための報告メールを作成するメッセージ作成ステップと、（１０）当該作成した報告メールを第１通信端末に送信する送信ステップと、を含む。
【００１５】
本発明によれば、第１メッセージ提供システム配下の第１通信端末から送信されるメッセージを第２メッセージ提供システムで取り扱うことのできる形式に変換し、その変換の成否の結果を第１通信端末に通知するので、第１通信端末のユーザーは変換サーバが正常に稼動しているのかを知ることができる。
【００１６】
また本発明の変換サーバは、第１受信手段が受信したメッセージが、試験対象か否かを判断する試験移動機管理手段を備え、当該判断の結果が試験対象である旨のものである場合に、制御手段は変換の正常性の判断をし、試験メッセージ作成手段は報告メールを作成することも好ましい。また本発明の試験方法は、判断ステップに先立って、第１受信手段が受信したメッセージが試験対象か否かを判断する対象判断ステップを含み、当該判断の結果が試験対象である旨のものである場合に、判断ステップ及びメッセージ作成ステップの処理を実行することも好ましい。
【００１７】
この本発明の好ましい態様によれば、送信されてくるメッセージが試験対象のものであると判断した場合にのみ変換サーバの正常性の試験を行うので、ユーザーはこの試験対象となるメッセージを送信することで試験の実行を指令できる。
【００１８】
また本発明の変換サーバでは、試験移動機管理手段は、第１受信手段が受信したメッセージの送信元及び送信先の少なくとも一方が、試験対象の送信元又は試験対象の送信先として登録されている場合に、該メッセージが試験対象であると判断することも好ましい。この本発明の好ましい態様によれば、試験対象のメッセージであるか否かを、そのメッセージの送信元又は送信先が試験対象として登録されているか否かで判断するので、試験対象のメッセージであるか否かをそのメッセージの内容にかかわらず容易に判断できる。
【００１９】
また本発明の変換サーバでは、試験移動機管理手段が、第１通信端末から送信される指示情報に基づいて、試験対象の送信元及び試験対象の送信先の登録及び解除を行うことも好ましい。この本発明の好ましい態様によれば、ユーザーからの指示情報に基づいて送信先や送信元の設定を登録したり、解除したりできる。
【発明の効果】
【００２０】
本発明によれば、ユーザーが自ら、自己の端末から変換サーバまで接続が確立されているか及び、ユーザーの端末から変換サーバが正常に動作しているか確認することができる。
【発明を実施するための最良の形態】
【００２１】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００２２】
図１に本実施形態である通信システムの構成図を示す。図１に示すように、通信システム１は、第１メッセージングシステム１０（第１メッセージ提供システム）と、変換サーバ２０と、第２メッセージングシステム３０（第２メッセージ提供システム）とを備える。通信システム１は、第１メッセージングシステム１０と第２メッセージングシステム３０とを変換サーバ２０を介して接続した通信システムである。
【００２３】
第１メッセージングシステム１０は、移動通信サービスを行うシステムである。第１メッセージングシステム１０は、移動端末１０ａ（第１通信端末）と、無線基地局１０ｂと、メッセージサーバ１０ｄとを備える。メッセージサーバ１０ｄとしては、例えば、メールサーバを用いることができる。
【００２４】
第２メッセージングシステム３０も、第１メッセージングシステム１０と同様に移動通信サービスを行うシステムである。第２メッセージングシステム３０は、移動端末３０ａと、無線基地局３０ｂと、移動通信パケット通信網３０ｃと、メッセージサーバ３０ｄとを備える。
【００２５】
第１メッセージングシステム１０における移動端末１０ａ及び第２メッセージングシステム３０における移動端末３０ａは、それぞれの移動通信サービスを受けることが可能な移動端末である。移動端末１０ａ及び移動端末３０ａは、移動端末、ＰＨＳ、パソコン、ＰＤＡに対してメールの送受信を行うことができる。メールには、一般にパソコン間、移動通信端末間等で利用されている電子メール、移動通信端末間で用いられるショートメッセージサービスなど、図１記載の通信システムを用いて文章等を送受信可能な通信手段であれば何れであってもよい。
【００２６】
第１メッセージングシステム１０におけるメッセージサーバ１０ｄ及び第２メッセージングシステム３０におけるメッセージサーバ３０ｄは、第１メッセージングシステム１０と第２メッセージングシステム３０のそれぞれの配下にある移動端末が通信するメールのサーバである。
【００２７】
変換サーバ２０は、第１メッセージングシステム１０と第２メッセージングシステム３０の間に位置するサーバである。変換サーバ２０は、第１メッセージングシステム１０と第2メッセージングシステム３０のそれぞれに属する移動端末が利用可能なファイル形式や表示可能なメールの文字コードが異なる場合に、メールの送信先に応じてそれらを変換する機能を有する。変換サーバ２０には、予め第１メッセージングシステム１０と第２メッセージングシステム３０のそれぞれにおいて用いられるメールの文字コード、添付可能なファイルの形式、メールの本文の制限、メールの容量の制限、添付可能なファイルの容量の制限、メールと添付ファイルを合わせた容量の制限など、それぞれのメッセージングシステムの規約、制限を認識しているものとする。変換サーバ２０は、第１メッセージングシステム１０あるいは第２メッセージングシステム３０の何れから送信されてくるメールの送信先についての前記規約、制限に応じて変換処理を行い、変換後のメールを送信先の移動端末が属するメッセージングシステムのメッセージサーバに送信する。
【００２８】
さらに変換サーバ２０は、変換サーバ２０における変換処理が正常に行われているか判断する機能を有する。変換サーバ２０は、メールの送信元のメールアドレス、電話番号、ＩＰアドレス等の固有の符号が、ループバック試験を行うように予め登録されているか否かを管理している。さらに、ループバック試験を行うように予め登録されている送信元が、特定の送信先についてのみループバック試験を行うように予め登録されているか否かを管理している。ここで登録は、変換サーバに接続された保守端末（図示せず）から変換サーバ２０への入力によりループバック試験を行うか否かを登録してもよく、また移動端末からサーバに対して各メッセージングシステムを介してループバック試験を行うか否かを登録してもよい。
【００２９】
メールが各メッセージシステムのメッセージサーバから変換サーバ２０に送信されてきた場合に、変換サーバ２０は、メールの送信元のメールアドレス、電話番号、ＩＰアドレス等の固有の符号が、ループバック試験を行うように予め登録されているか否かを判断する。さらに、ループバック試験を行うように予め登録されている送信元からのメールであった場合に、該メールの送信先を認識し、当該送信元から該送信先へのメールが、ループバック試験を行う対象として予め登録されているか否かを判断する。この結果、該メールが、ループバック試験の対象となるメールであると判断された場合には、変換サーバ２０は、送信元から送信されてきたメールを変換し、変換後のメールを点検し、前述の変換処理が正常に行われているか否かを判定する。変換サーバ２０は、判定結果を記載したメールを作成し、メールの送信元にメールを返信する。このように変換サーバ２０が判断結果を示したメールを送信することによって、ユーザーは、ユーザーの端末から変換サーバまでの経路が接続されており、かつ変換サーバが正常に処理を行っていることを確認することができる。
【００３０】
図１及び図２を参照しながら、第１メッセージングシステム１０に存するメッセージサーバ１０ｄの配下にある移動端末１０ａから第２メッセージングシステム３０に存するメッセージサーバ３０ｄの配下にある移動端末３０ａ宛にメールを送信した場合における、第１メッセージングシステム１０及び変換サーバ２０の処理の態様について説明する。第１メッセージングシステム１０に存するメッセージサーバ１０ｄの配下にある移動端末１０ａから送信されるメールをユーザーが作成する（Ｓ１００）。
【００３１】
作成されたメールは第２メッセージングシステム３０に存するメールサーバの配下にある移動端末３０ａ宛に送信される（Ｓ１０１）。ここで、送信されるメールについては、メールの題名、本文の内容に限定はない。メールには、第１メッセージングシステム１０に存するメールサーバの配下にある端末の機能的な制限の範囲内で、かつ第１メッセージングシステム１０の制限の範囲内で、可能な形式のファイルを添付することができる。添付ファイルとしては、画像ファイルとしてＪＰＥＧ、ＧＩＦ、動画ファイルとしては、ＭＰＥＧ４、ＭＰ４等が考えられる。また、文章ファイルであるテキスト形式のファイルや音声を保存したファイルなどを添付することができる。
【００３２】
メールは、移動端末１０ａから無線通信を介して無線基地局に送信され、通信網を通じてメッセージサーバ１０ｄに到達する。次に、メッセージサーバ１０ｄは、移動端末１０ａから送信されてきたメール送信先が第２メッセージングシステム３０に存するメールサーバ３０ｄの配下にある端末であることを確認し、変換サーバ２０にメールを転送する（Ｓ１０２）。
【００３３】
変換サーバ２０は、メールが送信されてきた場合に、メールの送信元のメールアドレス、電話番号、ＩＰアドレス等の固有の符号が、ループバック試験を行うように予め登録されているか否かを管理しており、変換サーバ２０は、メールの送信元を特定し、メールの送信元がループバック試験を行うように予め登録されているか否かを判断する。さらに、ループバック試験を行うように予め登録されている送信元からのメールであった場合に、該メールの宛先を認識し、当該送信元から該送信先へのメールが、ループバック試験を行う対象として予め登録されているか否かを判断する。（Ｓ１０３）。ここで、ループバック試験を行うように予め登録した送信元及び送信先であるか否かの判断を行う基準となるものは、電話番号、メールアドレス、ＩＰアドレス等の固有の符号であって、メールの送信元を特定可能なものであれば何れであってもよい。
【００３４】
次に変換サーバ２０は、第１メッセージングシステム１０と第２メッセージングシステム３０の端末において、利用可能なファイル形式や表示可能なメールの文字コード、メール又はメールに添付された添付ファイルの容量、又はメールと添付ファイルを合わせた全体の容量の制限が異なる場合に、メールの送信先に応じてこれらの変換を行う（Ｓ１０４）。変換されたメールの送信元がループバック試験を行うように予め設定されていないとＳ１０３において判断されている場合には、変換サーバは、変換処理後のメールを第２メッセージングシステム３０のメッセージサーバ３０ｄに転送する（Ｓ１０５）。転送されたメールは、第２メッセージングシステム３０のメッセージサーバ３０ｄから通信網を介し、さらに無線基地局から無線通信により宛先である移動端末３０ａに送信される。
【００３５】
一方、変換されたメールがループバック試験の対象であるとＳ１０３において判断されている場合には、変換サーバ２０は、変換サーバ２０内での変換処理が正常に行われているか否かを判定し、判定結果を記載したメールを作成する（Ｓ１０６）。あわせて移動端末１０ａから送信され、変換サーバ２０において変換されたメールは、削除される。判定は、例えば一連の処理中でルーチン内の返り値か正か否かにより行う。判定項目は、変換処理される内容に応じて変更される。作成されるメールは、例えば図３に示すものであり、メールを送信したユーザーが変換サーバにおいて正常に処理が行われていること、あるいは正常に処理されていないことを認識できるのであれば、メールの題名、メールの本文は、何れであってもよく、また変換処理後の添付ファイルが添付されていてもよい。また、メールには変換処理過程に応じて、変換処理毎に変換処理が正常であったか否か記載されていてもよく、その処理状況を示すパラメータを表示してもよい。
【００３６】
変換サーバ２０は、判定結果を記載したメールを変換サーバ２０から第１メッセージングシステム１０のメッセージサーバ１０ｄに転送する（Ｓ１０７）。次に、メッセージサーバ１０ｄは、その通知を移動端末１０ａに送信する（Ｓ１０８）。あるいは端末からのメール受信要求があるまでの所定の期間、通知をメッセージサーバ１０ｄに保持する。このように、ユーザーは、自己の移動端末１０ａからメールを送信することによって、移動端末１０ａから変換サーバ２０まで接続が確立されているか及びユーザーの移動端末１０ａから変換サーバ２０が正常に動作しているか確認することができる。さらに、特定の宛先についてのみループバック試験を行うことにより、ユーザーは、自己が希望する宛先についてのみ試験の対象とし、他の宛先については、通常のメールの送受信をすることができるため、メールの送受信のサービスを維持しながら、試験を行うことが可能となる。くわえて、特定の送信先へのメールの変換処理が正常に行われているか確認することが可能となり、送信先の多様化にしている状況においても適切な試験を行うことが可能となる。
【００３７】
変換サーバ２０の機能的な構成を図４に示す。変換サーバ２０は、第１メッセージングシステムインターフェイス部２０１（第１受信手段、第１送信手段）、第２メッセージングシステムインターフェイス部２０２、制御部２０３（制御手段）、試験移動機管理部２０４（試験移動機管理手段）、変換処理部２０５（変換処理手段）、試験メッセージ作成部２０６（試験メッセージ作成手段）、管理テーブル格納部２０７から構成される。
【００３８】
第１メッセージングシステムインターフェイス部２０１は、第１メッセージングシステム１０のメッセージサーバ１０ｄとのインターフェイスである。第１メッセージングシステムインターフェース部２０１は、メッセージ受信部（第１受信手段）と、メッセージ送信部（第１送信手段）とを備える（図示せず）。メッセージ受信部は、第１メッセージングシステム１０からのメールを受信し、メッセージ送信部は、変換サーバ２０から第１メッセージングシステム１０へメールを送信する。
【００３９】
第２メッセージングシステムインターフェイス部２０２は、第２メッセージングシステム３０のメッセージサーバ３０ｄとのインターフェイスである。第２メッセージングシステムインターフェイス部２０２は、メッセージ受信部と、メッセージ送信部とを備える（図示せず）。メッセージ受信部は、第２メッセージングシステム３０からのメールを受信し、メッセージ送信部は、変換サーバ２０から第２メッセージングシステム３０へメールを送信する。
【００４０】
制御部２０３は、第１メッセージングシステムインターフェイス部２０１或いは第２メッセージングシステムインターフェイス部２０２で受信したメールの送信元・送信先を認識し、特定する機能を有する。試験移動機管理部２０４が、特定したメールの送信元がループバック試験を行うように予め登録されているか否か、さらに、受信したメールの送信元がループバック試験を行うように予め登録されていた場合に、該送信元から該メールの送信先へのメールが、ループバック試験を行う対象として予め登録されているか否かを判断するために、制御部２０３は、特定したメールの送信元、送信先を試験移動機管理部２０４に通知する機能を有する。
【００４１】
制御部２０３は、試験移動機管理部２０４に問い合わせた結果、各インターフェイス部から制御部２０３に入力されたメールがループバック試験の対象とならないメールの場合には、該メールを変換処理部２０５において変換処理した後、変換後のメールを宛先側のインターフェイス部に送信する機能を有する。
【００４２】
さらに、制御部２０３は、変換処理部２０５において変換処理が行われた後のメールが正常に処理されているか判定する機能を有する。判定は、例えば一連の処理中でルーチン内の返り値か否かにより行う。判定項目は、変換処理される内容に応じて変更される。加えて制御部２０３は、変換処理部２０５において変換処理が行われた後のメールが正常に処理されているかについての判定結果を試験メッセージ作成部２０６に通知し、試験メッセージ作成部２０６が通知に基づいて作成したメールを送信元の属するメッセージングシステムに接続されたインターフェイス部に送信する機能を有する。
【００４３】
試験移動機管理部２０４は、管理テーブル格納部２０７に格納されているテーブルに基づいて、メールの送信元が、ループバック試験を行うか否かを管理する機能を有する。さらに、試験移動機管理部２０４は、送信元がループバック試験の対象として登録されている場合に、当該送信元から特定の送信先へのメールのみをループバック試験の対象となるか否かを管理する機能を有する。図５に管理テーブル格納部２０７に格納されている情報の例を示す。図５に示す例によれば、テーブルの左側「ＦＲＯＭ」の欄には、メールの送信元となるアドレスが入力される。ここに入力されているメールアドレスは、ループバック試験の対象となるメールの送信元である。「ＴＯ（１）」、「ＴＯ（２）」・・・「ＴＯ（ｎ）」の欄には、左側の「ＦＲＯＭ」の欄に記載された送信元からのメールのうち、ループバックの対象となるメールの送信先のアドレスが入力される。「ＦＲＯＭ」の欄に記載されたアドレスからのメールうち、「ＴＯ（１）」、「ＴＯ（２）」・・・「ＴＯ（ｎ）」に記載されたアドレス宛のメールのみが、ループバック試験の対象となるメールとなる。一方、「ＦＲＯＭ」の欄に記載されたアドレスからのメールうち、「ＴＯ（１）」、「ＴＯ（２）」・・・「ＴＯ（ｎ）」に記載されていないアドレス宛のメールは、ループバック試験の保護対象とならない。ただし、「ＦＲＯＭ」の欄にアドレスが記載されているが、「ＴＯ（１）」、「ＴＯ（２）」・・・「ＴＯ（ｎ）」に全くアドレスが記載されていない場合には、「ＦＲＯＭ」の欄に記載されたアドレスからのメールは、全てループバックの対象となる。
【００４４】
図５のテーブルにおいて、「０１２３４５６７８９＠ａａａ．ｃｃｃ．ｃｏｍ」が送信元であるメールのうち、「９８７６５４３２１０＠ｂｂｂ．ｄｄｄ．ｔｌ」と「ｘｙｚｄｇｈｋｓｊｉｒｕ＠ｄｄｄ．ｅｅｅ．ｊｐ」宛のメールはループバック試験の対象となり、「０１２３４５６７８９＠ａａａ．ｃｃｃ．ｃｏｍ」から他の宛先に送信されているメールは、ループバック試験の対象とはならない。「ａｂｃｄｅｆｇｈｉｊｋ＠ａａａ．ｃｃｃ．ｃｏ．ｊｐ」が送信元であるメールは、全てループバック試験の対象となる。
【００４５】
図５では、メールアドレス毎にループバック試験を行う否か管理しているが、ループバック試験を行う送信元、送信先であるか否かの登録の単位は、メールの送信元、送信先及び移動端末の電話番号、メールアドレス、ＩＰアドレス等の固有の符号であって、送信元、送信先を特定できるものであればよい。試験移動機管理部２０４は、制御部２０３から通知されたメールの送信元、送信先のメールアドレスを管理テーブル格納部２０７に格納されているテーブルと照らし合わせ、当該メールがループバック試験の対象として予め登録されているか否かを制御部２０３に通知する機能を有する。
【００４６】
変換処理部２０５は、第１メッセージングシステム１０と第２メッセージングシステム３０の端末において利用可能なファイル形式や表示可能なメールの文字コード、メール又はメールに添付された添付ファイルの容量、又はメールと添付ファイルを合わせた全体の容量の制限が異なる場合に、メールの送信先に応じて、送信先の端末で表示可能なように文字コードの変換、ファイル形式の変換を行う機能を有する。
【００４７】
試験メッセージ作成部２０６は、ループバック試験を行うように予め登録された送信元からのメールが、正常に変換処理されたか否かの判定結果を制御部２０３から通知され、その通知結果を記入したメールを作成する。図６に示すように、制御部２０３から通知される処理結果に対応した結果通知を記載したメールを作成する。作成された結果通知を記載したメールは、制御部２０３に送信され、各インターフェイス部を介してメールの送信元端末に送信される。作成されるメールは、メールを送信したユーザーが変換サーバにおいて正常に処理が行われていること、あるいは正常に処理されていないことを認識できるのであれば、メールの題名、メールの本文は、何れであってもよく、また変換処理後の添付ファイルが添付されていてもよい。また、メールには変換処理過程に応じて、変換処理毎に変換処理が正常であったか否か記載されていてもよく、その処理状況を示すパラメータを表示してもよい。
【００４８】
図１、図４、図７を参照しながら、第１メッセージングシステム１０のメッセージサーバ１０ｄの配下にある移動端末１０ａから第２メッセージングシステム３０に存するメッセージサーバ３０ｄの配下にある移動端末３０ｄ宛にメールを送信した場合の変換サーバ２０内の処理の態様を説明する。
【００４９】
第１メッセージングシステム１０に存するメッセージサーバ１０ｄの配下にある移動端末１０ａから、第２メッセージングシステム３０に存するメッセージサーバ３０ｄの配下にある移動端末３０ａ宛にメールを送信すると、送信されたメールは、第１メッセージングシステム１０内の無線基地局１０ｂ、メッセージサーバ１０ｄを介して、第１メッセージングシステムインターフェイス部２０１に受信される（Ｓ２００）。
【００５０】
制御部２０３は、受信したメールの送信元、送信先を特定する（Ｓ２０１）。制御部２０３は、メールの送信元、送信先の端末のメールアドレス、電話番号、ＩＰアドレス等の固有の符号であって、送信元、送信先を確認可能な項目であり、かつ試験移動機管理部４で管理されているループバック試験を行うか否かを記録した図５のテーブルにおいて対応付けが可能な項目をメールから特定する。制御部３は、確認された送信元、送信先についての情報を試験移動機管理部２０４に通知する。
【００５１】
試験移動機管理部２０４は、制御部２０３から通知された送信元、送信先についての情報と、試験移動機管理部２０４が管理する図５のテーブルの照らし合わせを行い、受信したメールがループバック試験の対象となるか判断し、その結果を制御部２０３に通知する（Ｓ２０２）。
【００５２】
より具体的には、試験移動機管理部２０４は、図５に示すテーブルに基づき受信したメールがループバック試験の対象となるかどうか判断する。まず、制御部２０３より通知されたメールアドレスが、図５のテーブルの左側「ＦＲＯＭ」の欄に入力されているか否か判断する。ここに入力されているメールアドレスは、ループバック試験の対象となるメールの送信元である。「ＦＲＯＭ」の欄に受信したメールの送信元のアドレスが記載されていないと判断された場合には、当該メールは、ループバック試験の対象とならない旨、制御部２０３に通知する。一方、「ＦＲＯＭ」の欄に受信したメールの送信元のアドレスが記載されていると判断された場合には、試験移動機管理部２０４は、受信したメールアドレスに対応した送信先の欄（「ＴＯ」の欄）に、メールアドレスが入力されているか判断する。ここで、送信先の欄に全くメールアドレスが入力されていない場合には、「ＦＲＯＭ」の欄に入力されたメールアドレスを送信元とするメールの全てが、ループバック試験の対象となる。送信先の欄に全くメールアドレスが入力されていない場合には、試験移動機管理部２０４は、制御部２０３に対して、受信したメールがループバック試験の対象となる旨を通知する。
【００５３】
受信したメールアドレスに対応した左側の「ＦＲＯＭ」の欄に対応した右側の「ＴＯ（１）」といった送信先の欄に、メールアドレスが入力されている場合には、送信先の欄に記載されたメールアドレスと、制御部２０３から通知された当該メールの送信先のアドレスを照らし合わせ、制御部２０３から通知された当該メールの送信先のアドレスが、送信先の欄に記載されたメールアドレスと一致した場合には、制御部２０３に対して、当該メールがループバック試験の対象となる旨を通知する。
【００５４】
一方、制御部２０３から通知された当該メールの送信先のアドレスが、送信先の欄に記載されたメールアドレスと一致しない場合には、試験移動機管理部２０４は、制御部２０３に対して、当該メールがループバック試験の対象とならない旨を通知する。
【００５５】
ここで、ループバック試験を行う送信元、送信先であるか否かの登録の単位は、メールの送信元、送信先及び移動端末の電話番号、メールアドレス、ＩＰアドレス等の固有の符号であって、送信元、送信先を特定できるものであれば何れであってもよい。
【００５６】
変換処理部２０５は、第１メッセージングシステム１０と第２メッセージングシステム３０に属する端末において利用可能なファイル形式や表示可能なメールの文字コード、メール又はメールに添付された添付ファイルの容量などが異なる場合に、メールの送信先に応じて、送信先の端末で表示可能なように文字コードの変換等を行う機能を有する。次に受信されたメールは、変換処理部５において前記条件に応じて変換処理をされる（Ｓ２０３）。
【００５７】
次に、Ｓ２０２で、受信したメールは、ループバック試験の対象とならないメールであると判定されている場合には、変換処理後のメールは、第二メッセージングシステム３０のメッセージサーバ３０ｄに転送され、通信網を介して、無線基地局から無線通信により宛先端末に送信される（Ｓ２０４）。
【００５８】
一方、Ｓ２０２において、受信したメールがループバック試験の対象となるメールと判定されている場合には、制御部は、前記変換処理が正常に行われているか否かを判定する（Ｓ２０５）。判定は、例えば一連の処理中でルーチン内の返り値が、正か否かにより行う。判定項目は、変換処理される内容に応じて変更される。
【００５９】
Ｓ２０５において、変換処理が正常に行われていると判定された場合には、制御部２０３は、その結果を試験メッセージ作成部６に通知し、試験メッセージ作成部２０６は、変換処理が正常に行われている旨を示したメールを作成する（Ｓ２０６）。一方、Ｓ２０５において変換処理が正常に行われていないと判定された場合には、制御部２０３は、その結果を試験メッセージ作成部２０６に通知し、試験メッセージ作成部２０６は、その旨を示したメールを作成する（Ｓ２０７）。ここで作成されるメールは、図６に示すように端末からのメールの送信元のユーザーにおいて、正常に変換処理が行われていること、あるいは正常に変換処理されていないことを認識できるのであればメールの題名、メールの本文は何れであってもよく、また変換処理後の添付ファイルが添付されていてもよい。また、メールには変換処理過程に応じて、変換処理毎に変換処理が正常であったか否か記載されていてもよく、その処理状況を示すパラメータを表示してもよい。
【００６０】
最後に、正常に処理された旨あるいは正常に処理されなかった旨を記載したメールは、変換サーバ２０から第１メッセージングシステム１０のメッセージサーバ１０ｄに転送され、通信網を介して、無線基地局から無線通信によりメールの送信元の移動端末１０ａに送信される（Ｓ２０８）。ユーザーは、変換サーバ２０からの送信された処理結果を示したメールを受信することによって変換サーバにおいてメールが正常に処理されていることを確認することができる。
【００６１】
次に、ループバック試験の対象となるメールの送信元、送信先の設定と解除について説明する。保守用端末（図示せず）からループバック試験の対象となるメールの送信元を変換サーバ２０に登録する処理の態様を説明する。保守用端末は直接、あるいはネットワークを介して変換サーバ２０に接続され、管理テーブル格納部２０７に格納されているテーブルを修正する。これにより、特定のメールの送信元から送信されたメールがループバック試験の対象となるか否かを設定することができる。さらに、特定の送信元から特定の送信先へのメールのみをループバック試験の対象となるか否かを設定することができる。
【００６２】
図８、図４を用いて、ループバック試験の対象となるメールの送信元、送信先を移動端末１０ａから変換サーバ２０に登録する処理の態様を説明する。ループバック試験を希望するメールの送信元を保持するユーザーは、メールの送信元及び送信先がループバック試験の対象となるように指示を移動端末１０ａに入力する（Ｓ３００）。ここで、送信元、送信先を特定する単位は、電話番号、メールアドレス、ＩＰアドレスなど送信元、送信先を特定でき、かつ当該送信元からのメールから認識可能なものであれば何れを用いてもよい。また、送信元の設定は、一つの端末が複数のメールアドレスなど、複数の送信元を有する場合には、そのうちのいずれか一つであってもよい。入力された結果を伝える媒体は、移動端末に予め設定された機能、あるいはユーザーが移動端末からウェブサイトを閲覧し、所定のサイト上で指示を入力してもよい。入力結果は、ループバック試験登録要求として送信する（Ｓ３０１）。送信されたループバック試験登録要求は、メッセージサーバ１０ｄ、通信網を介して変換サーバ２０に到達する（Ｓ３０２）。
【００６３】
次に、変換サーバ２０は、ループバック試験登録要求を受信すると、ループバック試験登録要求で指示されている送信元、送信先がループバック試験の対象として登録されているか確認を行う。データと照らし合わせた結果、当該送信元あるいは送信先がループバック試験の対象として登録されていない場合には、当該送信元をループバック試験の対象として登録する（Ｓ３０３）。変換サーバ２０は、Ｓ３０３の処理結果を示した通知を作成する（Ｓ３０４）。変換サーバ２０は、前記通知をメッセージサーバ１０ｄに送信する（Ｓ３０５）。メッセージサーバ１０ｄは、通信網を介して前記通知を移動端末１０ａに送信する（Ｓ３０６）。
【００６４】
このようにして、ユーザーの指定したメールの送信元は、ループバック試験の対象と変換サーバ２０で取り扱われ、以後ユーザーが変換サーバ２０を介する宛先にメールを送付した場合には前記ループバック試験が行われる。
【００６５】
図９、図４を用いて、図８に示したループバック試験の対象となるメールの送信元、送信先を移動端末から変換サーバに登録する際の変換サーバ２０内の処理の態様を説明する。移動端末１０ａから送信されたループバック試験登録要求は、メッセージサーバ１０ｄを介して、第１メッセージングシステムインターフェイス部２０１に受信される（Ｓ４００）。制御部２０３は、ループバック試験登録要求の送信元の確認を行う（Ｓ４０１）。制御部２０３は、ループバック試験登録要求から、対象となるメールの送信元、送信先を特定する。特定する単位は、メールアドレス、電話番号、ＩＰアドレス等の固有の符号であって、送信元を確認可能な項目であり、かつ試験移動機管理部２０４で管理しているループバック試験を行うか否かを記録した図５のテーブルにおいて対応付けが可能な項目である。
【００６６】
制御部２０３は、確認された送信元についての情報を試験移動機管理部２０４に通知する。試験移動機管理部２０４は、制御部２０３から通知された送信元についての情報と、試験移動機管理部２０４が管理する図５のテーブルの照らし合わせを行い、ユーザーがループバック試験登録要求の対象としたメールの送信元、送信先がループバック試験の対象として登録されているか判定する（Ｓ４０２）。
【００６７】
Ｓ４０２において、ユーザーがループバック試験登録要求の対象とした送信元、送信先がループバック試験を行うように予め登録されていないと判定された場合には、試験移動機管理部２０４は、ユーザーがループバック試験登録要求の対象とした送信元、送信先をループバック試験の対象として管理テーブル格納部２０７に登録し、あわせてその旨を制御部２０３に通知する（Ｓ４０３）。制御部２０３は、ユーザーがループバック試験登録要求の対象とした送信元、送信先からのメールがループバック試験を行うように登録された旨を端末に通知する（Ｓ４０４）。このようにして、ユーザーがループバック試験登録要求の対象とした送信元、送信先のメールは、ループバック試験の対象として変換サーバで取り扱われ、ユーザーがメールを送付した場合にはループバック試験が行われる。
【００６８】
Ｓ４０２において、ユーザーがループバック試験登録要求の対象としたメールの送信元、送信先が、既にループバック試験を行うように予め登録されている判定された場合には、制御部２０３はその結果を移動端末１０ａに通知する（Ｓ４０４）。
【００６９】
図１０にループバック試験の登録解除を端末から変換サーバ２０に登録する際の処理の態様を示す。以下図１、図１０を参照しながら、処理の態様を説明する。
【００７０】
ユーザーは、移動端末１０ａにループバック試験登録解除を希望する送信元、送信先を指定し送信する。送信された通知はループバック試験登録解除要求として変換サーバ２０に到達する（Ｓ５００）。以後の処理は、図１０に示すように、ループバック試験の対象として登録する場合と同様の処理を行う。すなわち、ループバック試験登録解除を希望するメールの送信元を保持するユーザーは、メールの送信元及び送信先がループバック試験登録解除の対象となるように指示を移動端末１０ａに入力する（Ｓ５００）。ここで、送信元、送信先を特定する単位は、電話番号、メールアドレス、ＩＰアドレスなど送信元、送信先を特定でき、かつ当該送信元からのメールから認識可能なものであれば何れを用いてもよい。また、送信元の設定は、一つの端末が複数のメールアドレスなど、複数の送信元を有する場合には、そのうちのいずれか一つであってもよい。入力された結果を伝える媒体は、移動端末に予め設定された機能、あるいはユーザーが移動端末からウェブサイトを閲覧し、所定のサイト上で指示を入力してもよい。入力結果は、ループバック試験登録解除要求として送信する（Ｓ５０１）。送信されたループバック試験登録解除要求は、メッセージサーバ１０ｄ、通信網を介して変換サーバ２０に到達する（Ｓ５０２）。
【００７１】
次に、変換サーバ２０は、ループバック試験登録解除要求を受信すると、ループバック試験登録解除要求で指示されている送信元、送信先がループバック試験の対象として登録されているか確認を行う。データと照らし合わせた結果、当該送信元あるいは送信先がループバック試験の対象として登録されている場合には、当該送信元をループバック試験の対象から削除する（Ｓ５０３）。変換サーバ２０は、Ｓ５０３の処理結果を示した通知を作成する（Ｓ５０４）。変換サーバ２０は、前記通知をメッセージサーバ１０ｄに送信する（Ｓ５０５）。メッセージサーバ１０ｄは、通信網を介して前記通知を移動端末１０ａに送信する（Ｓ５０６）。
【００７２】
このようにして、ユーザーが指定したループバック試験登録解除要求の対象としたメールの送信元、送信先がループバック試験の対象ではないと変換サーバ２０で取り扱われ、以後ユーザーがメールを送付した場合には前記ループバック試験が行われることはない。
【００７３】
図１１にループバック試験の登録解除を移動端末から変換サーバに登録する際の変換サーバ内の処理の態様を示す。移動端末１０ａから送信されたループバック試験登録解除要求は、メッセージサーバ１０ｄを介して、第１メッセージングシステムインターフェイス部２０１に受信される（Ｓ６００）。制御部２０３は、ループバック試験登録解除要求の送信元の確認を行う（Ｓ６０１）。制御部２０３は、ループバック試験登録解除要求から、対象となるメールの送信元、送信先を特定する。特定する単位は、メールアドレス、電話番号、ＩＰアドレス等の固有の符号であって、送信元を確認可能な項目であり、かつ試験移動機管理部２０４で管理しているループバック試験を行うか否かを記録した図５のテーブルにおいて対応付けが可能な項目である。
【００７４】
制御部２０３は、確認された送信元についての情報を試験移動機管理部２０４に通知する。試験移動機管理部２０４は、制御部２０３から通知された送信元についての情報と、試験移動機管理部２０４が管理する図５のテーブルの照らし合わせを行い、ユーザーがループバック試験登録要求の対象としたメールの送信元、送信先がループバック試験の対象として登録されているか判定する（Ｓ６０２）。
【００７５】
Ｓ６０２において、ユーザーがループバック試験登録解除要求の対象とした送信元、送信先がループバック試験を行うように予め登録されていると判定された場合には、試験移動機管理部２０４は、ユーザーがループバック試験登録解除要求の対象とした送信元、送信先をループバック試験の対象から削除するように管理テーブル格納部２０７に登録し、あわせてその旨を制御部２０３に通知する（Ｓ６０３）。制御部２０３は、ユーザーがループバック試験登録解除要求の対象とした送信元、送信先からのメールがループバック試験を行わないように登録された旨を端末に通知する（Ｓ６０４）。
【００７６】
Ｓ６０２において、ユーザーがループバック試験登録解除要求の対象としたメールの送信元、送信先が、既にループバック試験を行うように登録されていないと判定された場合には、制御部２０３はその結果を移動端末１０ａに通知する（Ｓ６０４）。
【００７７】
このようにして、ユーザーが指定したループバック試験登録解除要求の対象としたメールの送信元、送信先はループバック試験の対象でないと変換サーバで取り扱われ、以後ユーザーがメールを送付した場合には前記ループバック試験が行われることはない。
【００７８】
本発明は、上記実施の形態に限定されるものではなく、種々の変更が可能である。例えば、図１では第１メッセージングシステム１０と第２メッセージングシステム３０が接続されている例を示したが、変換サーバ２０に３以上のメッセージングシステムが接続されていてもよい。さらに、変換サーバ２０からインターネットに接続されていてもよい。
【００７９】
また、第１メッセージングシステム１０と第２メッセージングシステム３０は、携帯電話網に限られず、ＰＨＳ通信網、衛星携帯電話網であってもよい。
【００８０】
さらに、上記実施の形態では、第１メッセージングシステム１０と第２メッセージングシステム３０として移動通信を示したが、第１メッセージングシステム１０と第２メッセージングシステム３０における通信網は、いずれか一方、又は双方が固定回線により提供される公衆網によるメッセージングシステムであってもよい。
【００８１】
上記実施形態においては、一つの端末が複数のメールアドレス、電話番号等を有するなど、試験移動機管理部２０４が特定可能な送信元を一つの端末が複数有する場合には、一つの端末からのメールであってもループバック試験の対象となる送信元によるメールをループバック試験の対象とし、対象とならない送信元からのメールを通常の変換処理を行い宛先サーバに送信してもよい。
【００８２】
以上説明したように、本実施形態によれば、従来技術と異なり目的サーバとしての変換サーバ２０までの物理的な接続が確認できるだけでなく、変換サーバ２０の処理の正常性も確認することができる。ユーザーは、変換サーバ２０からの送信された処理結果を示したメールを受信することによって変換サーバ２０においてメールが正常に処理されていることを確認することができる。これにくわえ、変換サーバ２０内の処理の具体的な結果をループバック試験の結果通知に記載することによって、具体的な故障箇所を知ることも可能となる。
【００８３】
その結果、メールを送信先である相手方に送信し、相手方に正常に受信したか確認することなく、ユーザー自身で自己の移動端末から変換サーバ２０まで接続が確立されているか及び、ユーザーの端末から変換サーバ２０が正常に動作しているか、極めて容易に確認することができる。また、メールの送信先が、外国のメッセージングシステムである場合など、メールの送信先に問い合わせて正常にメールを受信したか判断することが困難な状況や、送信先の国においてユーザーが送信したメールを確認する者が存しない状況であっても、送信者自信で、変換サーバ２０の処理の正常性を確認することができる。
【００８４】
さらに、本実施形態によれば、ループバック試験の対象となる送信元、送信先は、変換サーバ２０においてのみ管理がなされるものであるため、送信元、送信先を特定してメールを送受信することが可能であり、変換サーバ２０に接続されたメッセージングシステムを介してメールの送受信を行うものであれば、何れであってもループバック試験の対象とすることができる。つまり、ループバック試験を行うメール送信元の移動端末は、メールの送受信が可能な装置であれば何れであってもよいのである。このため、変換サーバ２０の保守に着目した場合には、変換サーバ２０の正常性を確認するために特殊な専用装置を用いることなく汎用の移動端末を用いることが可能となり、低廉かつ極めて容易に変換サーバ２０の保守点検を行うことが可能となる。
【００８５】
本発明によれば、移動端末のユーザー又は変換サーバ２０の保守者が自らメールの送信元、送信先を設定することによってループバック試験の対象を随時登録、解除することが可能となる。これにより、従来技術のようにサービスを画一的に中断することなく、必要に応じて随時試験を行うことが可能となる。特にブラウザ機能を備えた移動端末などを用いた場合には、試験者が容易にループバック試験の登録解除を行い、自ら変換サーバ２０の正常性等を確認することができる。
【図面の簡単な説明】
【００８６】
【図１】本発明が適用される通信システムの構成図である。
【図２】本発明の一実施形態にかかる図１の通信システムにおけるループバック試験方法の手順を示すフロー図である。
【図３】変換サーバからの結果通知を示す図である。
【図４】変換サーバの構成を示すブロック図である。
【図５】試験移動機管理部が管理するデータベースを示す図である。
【図６】試験メッセージ作成部で管理するデータベースを示す図である。
【図７】変換サーバ内の処理フローを示す図である。
【図８】本発明の一実施形態にかかる図１の通信システムにおけるループバック試験の対象となるメールの送信元、送信先を登録する手順を示すフロー図である。
【図９】変換サーバ内におけるループバック試験の対象となるメールの送信元、送信先を登録する手順を示すフロー図である。
【図１０】本発明の一実施形態にかかる図１の通信システムにおけるループバック試験の対象となるメールの送信元、送信先を解除する手順を示すフロー図である。
【図１１】変換サーバ内におけるループバック試験の対象となるメールの送信元、送信先を解除する手順を示すフロー図である。
【符号の説明】
【００８７】
１ａ…通信システム、１０…第１メッセージングシステム、１０ａ…移動端末、１０ｂ…無線基地局、１０ｄ…メッセージサーバ、２０…変換サーバ、３０…第２メッセージングシステム、３０ａ…移動端末、３０ｂ…無線基地局、２０１…第１メッセージングシステムインタフェイス部、２０２…第２メッセージングシステムインタフェイス部、２０３…制御部、２０４…試験移動機管理部、２０５…変換処理部、２０６…試験メッセージ作成部、２０７…管理テーブル格納部。
【図１】
2005269264.tif 000003
【図２】
2005269264.tif 000004
【図３】
2005269264.tif 000005
【図４】
2005269264.tif 000006
【図５】
2005269264.tif 000007
【図６】
2005269264.tif 000008
【図７】
2005269264.tif 000009
【図８】
2005269264.tif 000010
【図９】
2005269264.tif 000011
【図１０】
2005269264.tif 000012
【図１１】
2005269264.tif 000013